(57)【特許請求の範囲】
【請求項１】
壁を被覆する規格品の壁紙のサイズを予め記憶したコンピュータで利用されるデータであって、このデータを、凹凸が存在する内壁の寸法を測定して内壁の寸法の一群のデータとして記憶することが可能な壁面測定方法であって、
Ａ）レーザ距離計を支軸回りに回転させながら被測定面にレーザを照射し、当該レーザ距離計からレーザ照射された測定位置までの距離を測定する測定過程と、
Ｂ）前記測定過程で測定した前回のレーザによる測定位置から、今回の測定時の測定位置まで前記レーザ距離計を回転させた回転角度を検出する回転角度検出過程と、
Ｃ）前記前回と今回の測定過程で取得した２つの測定距離と、前記回転角度検出過程で検出した回転角度から測定位置間ごとの距離を求め記憶部に記憶する過程と、
Ｄ）前記レーザ距離計から前記測定位置までの測定距離を隣り合う測定位置ごとに比較し、各測定位置間の距離の変化量が所定の前記変化量から外れる場合、前記前回のレーザによる測定位置から、今回の測定時の測定位置までの間において、前記支軸回りに回転させる角度量を変更しレーザの測定間隔を短くして前記（Ａ）〜（Ｃ）の処理を繰り返す過程と、
Ｅ）前記（Ａ）〜（Ｃ）の処理を繰り返す前記（Ｄ）によって得た、前記レーザ距離計からレーザ照射された測定位置までの距離と、前記測定過程で測定した前回のレーザによる測定位置から、今回の測定時の測定位置まで前記レーザ距離計を回転させた回転角度とから、前記測定位置間ごとの距離を記憶する過程を複数回連続して実行して、壁面の寸法を得る前記一群のデータとして生成するデータ生成過程と、
を備えたことを特徴とする壁面測定方法。
【発明の詳細な説明】
【技術分野】
【０００１】  本発明は、建築物などの内壁の寸法を測定する壁面測定方法および壁面測定装置に関する。
【背景技術】
【０００２】  リフォームなどの室内の内装変更を行うのに先立って、室内の壁面寸法を測定している。すなわち、壁面寸法の測定は、資材を準備するための事前準備であり、工事前の見積もりの段階で必要になる作業である。通常は、依頼者が複数の業者に相見積もりを取ることが多く、このような作業に多大の時間をかけたとしても必ずしも仕事を正式に依頼されるとは限らないため、このような作業は短時間で終了させることが、営業効率として重要である。しかしながら、正確に見積もらなければ、赤字になることもあるので、短時間で終了させて営業効率を上げることに注視し過ぎると大きな損害に繋がる恐れも潜在している。寸法測定結果に応じて、壁紙をどのサイズおよび量、建材のサイズおよび個数などの材料費の基礎となる見積もりとなり、かつ、その材料費から作業に要する工数（人件費）を決定するのが一般的である。【０００３】  そこで、従来は、メジャーを使って、何人かの作業員が共同して寸法の測定をおこなっていた旧来の作業形態から、レーザ距離計を利用して室内の壁面寸法を測定する装置が提案および実施されている。このレーザ距離計の出現は、リフォーム業者にとっては、寸法測定が一人で行えることから、画期的な装置として近年広く受け入れられつつある。
このような汎用品として広く販売されているレーザ距離計を用いた測定方法は、レーザ距離計からレーザを照射すると、そのスポット位置とレーザ距離計の後部との距離が、レーザ距離計に備えられた表示部に表示されることで測定可能となっている。
そして、このようなレーザ距離計で室内の寸法を測定する場合には、次のような作業を何度も繰り返して測定するのである。例えば、ＢＯＳＣＨ社のＧＬＭ７０００（品番）などの廉価品も最近市場に投入されつつある。
また、特許第４３０４２７０号（特許文献１）のようなレーザ距離計を用いた壁面寸法測定方法が知られている。この公報には、レーザ距離計からのレーザを寸法測定に必要な複数個所に、オペレータがマニュアル操作により予めスポット照射し、設定入力する。その後、レーザ距離計が測定位置にレーザを照射してゆき、当該レーザ距離計を原点として測定位置ごとに距離および座標を求める。さらに、求めたい寸法の起点と終点となる２つの測定位置の座標および各測定位置までの距離を基にして三角関数によって両測定位置間の距離を求めている。【０００４】
【先行技術文献】
【特許文献】
【０００５】
【特許文献１】特許第４３０４２７０号明細書
【発明の概要】
【発明が解決しようとする課題】
【０００６】  例えば、柱、ドア枠および窓枠など壁面から突き出た膨出部および部屋の隅などを含む複数の隅角部が存在する。したがって、従来の壁面測定装置は、隅角部を測定位置の起点および始点にしてマニュアルで設定入力する必要があり、作業効率が煩雑になっている。さらに設定入力する箇所が多いので、設定入力の漏れによる測定エラーなどが発生するといった恐れもある。
特に、リフォーム業者の場合には、新築と異なり、内部の正確な図面が無い場合、造作にて室内の壁に固定されているようなテーブルや机や家具なのが存在したりするので、新築と異なりリフォームの場合には、更に、その測定は極めて困難となることがある。【０００７】  本発明は、上述の問題点に鑑みてなされたものであり、建築物の内壁寸法の測定作業を効率よく行うとともに、寸法を精度よく測定することが可能な壁面測定方法および壁面測定装置を提供することを主たる目的としている。
なお、本発明の目的、課題、および効果（利益）は、特許請求の範囲の記載自体から理解されるものであり、下記の説明により、不当に解釈してはならない。
【課題を解決するための手段】
【０００８】  本発明は、以下のような壁面測定方法を提供する。【０００９】  本発明の１実施態様に係る壁面測定方法は、以下の構成を有する。
すなわち、内壁の寸法を測定する壁面測定方法であって、
Ａ）レーザ距離計を支軸回りに回転させながら被測定面にレーザを照射し、当該レーザ距離計からレーザ照射された測定位置までの距離を測定する測定過程と、
Ｂ）前記測定過程で測定した前回のレーザによる測定位置（測定位置＝レーザの照射位置である）から、今回の測定時の測定位置まで前記レーザ距離計を回転させた回転角度を検出する回転角度検出過程と、
Ｃ）前記前回と今回の測定過程で取得した２つの測定距離と前記回転角度検出過程で検出した回転角度から測定位置間ごとの距離を求め記憶部に記憶する過程と、
前記（Ａ）の測定過程で得た距離と、（Ｂ）の回転角度検出過程で得た回転角度とから、前記（Ｃ）の測定位置間を記憶する過程を複数回連続して実行して、壁面の寸法を得る一群のデータとして生成するデータ生成過程と、
を備えたことを特徴とする。【００１０】  この方法によれば、被測定面である内壁の全周の寸法を少なくとも一回の測定で求めることが可能なデータを生成することができる。（キューブ状の室内の場合は、一回の測定で測定することができる可能性があるが、勿論、検証のために数回の回転を行っても良い。また、円錐形の室内の場合や膨出状の壁がある高さから上に形成されている場合には、数回転の測定が必要となる可能性がある。）すなわち、レーザ距離計を支軸回りに少なくとも一回転させる間に被測定面にレーザを間欠的に照射し、取得した測定位置ごとの測定距離および測定位置間ごとの回転角度のデータを取得し、さらに、この取得したデータに基づいて、三角関数を利用することにより、測定距離と回転角度から隣り合う測定位置間の距離を、ＣＰＵを含む制御部（電気回路６）によって演算により算出する。この算出したデータは、イメージとして、前回のレーザ照射位置の点から今回のレーザ照射位置の点の間の距離となり、続いて、今回のレーザ照射位置の点と次のレーザ照射位置の点との距離となり、これを随時に点間の回転角度と関連づけて記憶し、最終的には、前記（Ｃ）のデータ生成過程において、一連の連続したデータとして全ての点（レーザ照射位置）の互いの間隔の集合体が壁面の寸法として算出されるのである。
したがって、この方法によれば、従来のように、隅角部の位置を考量して内壁の測定範囲を予め決定し、オペレータのマニュアル操作によって当該測定範囲を設定入力する必要がないので、測定作業を効率よく行うことができる。また、隅角部を避けて特定の位置のみを測定するための設定を必要としないので、設定入力ミスによる測定エラーの発生を回避することもできる。【００１１】  なお、上記方法において、前記レーザ距離計から前記測定位置までの測定距離を隣り合う測定位置ごとに比較し、変化量が所定の変化量から外れる場合、前記前回のレーザによる測定位置から、今回の測定時の測定位置までに回転させる角度のレーザの測定間隔を変更することが好ましい。後述する実施形態においては、前記被測定面に間欠的にレーザを照射してその都度に、レーザ距離計からレーザ照射された測定位置までの距離を測定するように記載しているが、これに限定されず、レーザを連続的に照射しつつ、測定点を間欠的に測定するように構成すれば良い。要は、レーザが間欠的に照射されることが本発明において重要ではなく、測定を所定回転角度だけ回転する毎に測定することが重要となる。この測定間隔が短ければ短い程に小さな膨出部位を、より正確に測定することが可能となる。その理由をより詳しく説明すると、隣り合う測定位置（前回の測定位置と今回の測定位置）で比較した結果、その距離の増加率がそれ以前の隣り合う測定位置の間での増加率とが同じ増加率とならなければ、壁の凹凸が存在すると判定することができるのであり、この場合には、隣り合う測定位置の測定間隔（回転角度量）をより短くすることで、凸の立ち上がりの点を見出して、より正確な凹凸量や凹凸の始まり点をデータとして得ることが可能となるのである。【００１２】  繰り返しになるが、レーザ距離計から測定位置までの距離は、壁面が平坦な場合には一定の割合で距離が増加または減少してゆく。しかしながら、測定距離の変化量（例えば、傾き）が所定の変化量から外れる場合は、壁面が平坦でないことを意味するのである。すなわち、このような箇所は隅角部である可能性が高いので、平坦な面を測定する測定間隔と同じ間隔（広め）で測定すると、隅角部の寸法を正確に判断することができない。そこで、この方法によれば、例えば、測定間隔を初期設定よりも短くすることにより隅角部の立直面または曲面に複数回にわたってレーザを照射することが可能になるので、隅角部の寸法のみならず形状を正確に判定することができ、ひいては目的とする壁面の寸法のみを精度よく抽出することが可能になる。【００１３】  なお、上記方法において、測定距離の変化量が所定の変化量から外れた場合には、次のような補完処理をすることが好ましい。【００１４】  例えば、前記変化量が所定の変化量から外れたことを検知した時点で、レーザ距離計を逆回転させて所定の位置まで戻した後に、測定間隔を短く変更して正転させながら再測定する。【００１５】  または、前記変化量が所定の変化量から外れたことを検知した時点で、測定間隔を短く変更して所定距離まで逆回転させながら再測定する。【００１６】  この方法によれば、隅角部など平坦でないと疑わし部分で測定間隔を短く変更して複数回にわたって距離を再測定し、最初の測定時に測定しきれていない部分のプロット用のデータを補完するので、隅角部を精度よく判定可能となり、ひいては、目的とする内壁面の寸法のみを精度よく抽出可能になる。【００１７】  また、上記方法において、前記変化量が所定の変化量から外れたことを検知した時点で、当該測定時点の測定位置と前回の測定位置との間で、距離が最大となる位置を求めるまで、測定間隔を変更しながら複数回にわたって再測定することが好ましい。【００１８】  測定時点の測定位置と前回の測定位置との間に隅角部が含まれる場合、隅角部の起点となる位置までの測定距離が最大となる。したがって、この方法によれば、測定距離が最大となる位置を求めているので、隅角部の起点を特定することができ、当該部位から終点までを求めることにより、その形状を特定することもできる。【００１９】  さらに、上記方法において、前記被測定面で囲われた空間内に複数台のレーザ測定計を配備し、各レーザ距離計を一回転させながら当該被測定面にレーザを間欠的に照射し、レーザ距離計ごとに取得した距離と回転角度から測定位置間ごとの距離を求め、レーザ距離計ごとに求めた測定位置間の距離をまとめてプロット用の一群のデータとして記憶部に記憶するように構成してもよい。【００２０】  この方法によれば、例えば、複数本の柱の膨出したビルやマンションのように広くて死角の多い一室に複数台のレーザ距離計を配備し、個々のレーザ距離計によって被測定面までの距離を測定してゆくことにより、あるレーザ距離計で距離を測定できない死角部分を他のレーザ距離計によって測定することができる。したがって、各レーザ距離計によって取得した測定データから求めた測定位置間の距離をまとめて記憶し、これら複数台分のデータを読み出して合成することにより、死角の多い部屋であっても各レーザ距離計による一度の測定で壁面寸法を効率よく、かつ、精度よく求めることができる。【００２１】  なお、本発明は、上記構成以外に、以下の構成も開示している。【００２２】  内壁の寸法を測定する壁面測定装置であって、
被測定面に向けてレーザを照射し、該レーザの照射の方向を、前記内壁に連なる床面に対して回転可能に支承され、且つ、前記回転の中心と前記被測定面間の距離を測定するレーザ距離計と、
前記レーザ距離計によって測定した距離を記憶する記憶部と、
前記レーザ距離計を床面に対して略並行に回転させる駆動機構と、
以下の処理を実行する制御部と、を有する、
前記駆動機構によって前記レーザ距離計を前記支軸回りに回転させながら前記被測定面の所定の測定位置までの距離を間欠的に測定し、
前回の測定位置から今回の測定時の測定位置まで回転した前記レーザ距離計の回転角度を求め、
取得した前記測定距離と前記回転角度から測定位置間ごとの距離を求め、壁面長さをプロットするための一群のデータとして生成し、当該データを前記記憶部に記憶させる、
ことを特徴とする。【００２３】  この構成によれば、制御部によって駆動機構を回転制御し、レーザ距離計を支軸回りに一回転させる間に、被測定面の全周にレーザを間欠的に照射して測定位置ごとの距離を測定するとともに、間欠的に測定される隣り合う測定位置間の回転角度を求める。また、制御部は、隣り合う測定位置ごとの各距離と回転角度に基づいて、例えば三角関数を利用して測定位置間の距離を求めることができる。つまり、制御部は、測定位置間の距離を被測定面の全周に沿って取得するので、被測定面の全周をプロット可能な複数個に分割された寸法を一群のデータとして生成して記憶部に記憶させている。したがって、一回の測定で取得したデータを利用して被測定面の任意の範囲での寸法を求めることが可能になる。【００２４】  上記構成において、前記制御部は、さらに、測定位置間の距離の変化量を比較し、当該変化量が所定の変化量から外れるか否かを判定し、
判定の結果、変化量が所定の変化量から外れる場合、前記駆動機構を逆回転させて前記レーザ距離計を所定の位置まで戻し、測定間隔を変更した後に正転させて再測定させるよう構成することが好ましい。【００２５】  この構成によれば、制御部は、変化量が所定量から外れた場合に平坦でない部分を隅角部として判定し、当該隅角部を前回の測定間隔よりも、例えば短い間隔で再測定してデータを補完し、当該隅角部の寸法および形状を特定することができる。【００２６】  また、上記構成において、前記記憶部に記憶された前記データを読み出し、壁面全周を分割した長さを繋げて連続表示する表示装置と、
前記表示装置に連続表示された長さから指定した範囲の寸法を算出する演算処理装置と、を備えることが好ましい。【００２７】  この構成によれば、制御部によって取得されたプロット用のデータを利用し、壁面全周を分割した長さを繋げて表示装置に連続表示し、当該連続表示された長さから任意に範囲を指定して目的とする寸法を精度よく求めることができる。
【発明の効果】
【００２８】  本発明に係る壁面測定方法および壁面測定装置によれば、建築物の室内寸法の測定作業を効率よく行うとともに、目的とする寸法を精度よく測定することができる
【図面の簡単な説明】
【００２９】
【図１】壁面測定装置の全体構成を示す斜視図である。
【図２】壁面測定装置の装置本体と回動体を示す斜視図である。
【図３】壁面測定装置の電気回路を示すブロック図である。
【図４】壁面測定装置におる測定動作を示す図である。
【図５】測定位置間の距離を求める方法を示す模式図である。
【図６】測定結果と当該結果から取得したプロット用のデータを示す図である。
【図７】測定位置間の距離の変化量を示す図である。
【図８】変化量が変化した領域を再測定する方法を示す模式図である。
【図９】変形例の測定方法を示す図である。
【図１０】変形例の測定方法を示す図である。
【図１１】変形例の壁面測定装置を示す斜視図である。
【図１２】変形例の壁面測定装置による測定方法を示す図である。
【図１３】変形例の壁面測定装置の全体構成を示す斜視図である。
【図１４】変形例の壁面測定装置の構成を示す断面図である。
【図１５】変形例の壁面測定装置における電気回路を示すブロック図である。
【図１６】変形例の壁面測定装置における測定処理手順を示すフローチャートである。
【図１７】変形例の壁面測定装置による測定方法を示す図である。
【図１８】変形例の壁面測定装置による測定方法を示す図である。
【図１９】変形例の壁面測定装置における電気回路を示すブロック図である。
【図２０】変形例の壁面測定装置における装置本体と回動体を示す斜視図である。
【発明を実施するための形態】
【００３０】  壁面測定装置１は、図１および図２に示すように、装置本体２と回動体３とを備えている。装置本体２は、三脚４に水平に支持されている。
【００３１】  装置本体２は、図３に示す第１モータ５（例えばパルスモータ）および当該第１モータ５を駆動させる内部電源としての電池（２次電池）を内蔵している。この第１モータ５の回転軸が、回動体３に連結されている。したがって、図２に示すように、第１モータ５の駆動によって回動体３が、回転軸Ｚ回りに回転するよう構成されている。なお、装置本体２に電池を内蔵しているが、ＡＣアダプタによる外部からの給電によっても第１モータ５が駆動可能に構成されている。
【００３２】  また、装置本体２には、図３に示すように、制御用の電気回路６（制御部）を備えている。電気回路６は、装置全体２を制御するＣＰＵ７、処理プログラムを格納したＲＯＭ８、データを一時的に格納するＲＡＭ９、および後述するレーザ距離計１０から出力された距離データを受信したり、或いは外部のパーソナルコンピュータ１１（以下、適宜に（「ＰＣ１１」と称す）にデータを送信および受信したりする通信部１２などから構成されている。なお、通信部１２とＰＣ１１の通信は、有線ＬＡＮであってもよいし、或いは無線ＬＡＮであってもよい。なお、ＣＰＵ７は、本発明の制御部に相当し、ＲＡＭ９は、本発明の記憶部に相当し、ＰＣ１１は、本発明の表示装置および演算処理装置に相当する。
【００３３】  回動体３は、円柱状の底部から立設された左右一対の支持体１３を備えている。当該支持体１３の間でレーザ距離計１０が、図４に示す第２モータ１４の回転軸と自由軸によって左右から軸支され、水平軸Ｙ回りに回転可能にされている。
【００３４】  レーザ距離計１０は、被測定物に照射したレーザの反射光の強度に基づいて測定距離を算出して出力する。なお、レーザ距離計１０としては、例えば、ライカ  システムズ社製の「Ｌｅｉｃａ  ３Ｄ  Ｄｉｓｔｏ」やボッシュ株式のレーザ距離計など種々の物を使用することができる。
【００３５】  したがって、回動体３は、レーザ距離計６を水平軸Ｙ回り回転させて停止し、任意の角度でレーザを被測定面に照射し、レーザ距離計６を原点（回転中心を原点として設定している）として被測定面の測定位置までの距離を測定可能に構成されている。つまり、レーザ距離計６は、回転体３に固定される結果、設置される床又は床に設置する固定台である三脚４に対してレーザ距離計６は、回転可能に支承されている。
【００３６】  ＜測定処理１＞
次に、上記壁面測定装置１によって部屋の内壁を測定する一連の処理について図を参照して説明する。
【００３７】  図４に示すように、部屋の略中央に三脚４を設置し、当該三脚４に壁面測定装置１を装着する。電源ボタンを押圧すると装置本体２に備わった水準器の機能が作動し、当該水準器に従って装置本体２を水平に設定する。水平度は、装置本体２だけである程度まで調整した後に、三脚４の脚部を伸縮させ、三脚４の高さで微調整を行う。
【００３８】  次に、ＰＣ１１と装置本体１との通信接続を行う。接続が完了すると、ＰＣ１１から測定間隔を設定する。その後、レーザ距離計１０から壁面Ｗにレーザを照射し、測定開始位置の高さを設定する。これら初期設定が完了すると、ＰＣ１１または壁面測定装置１を操作して測定を開始する。
【００３９】  この開始操作に伴って、装置本体２の上で回動体３が時計方向に３６０度の回転を開始する。この回転する間に予め設定した間隔でレーザ距離計１０から壁面Ｗにレーザを間欠的に照射し、各測定位置Ｘ１〜Ｘｎまでの測定距離が、ＲＡＭ９に記憶される。また、測定開始位置Ｘ１から次の測定位置Ｘ２にレーザを照射するようにレーザ距離計１０が回転するとき、ＣＰＵ７が第１モータ５の駆動時のパルス数をカウントし、測定距離とパルス数がＲＡＭ９に記憶される。
【００４０】  測定が２回目以降になると、ＣＰＵ７は、プロット用のデータの生成を開始する。例えば、図５に示すように、レーザ距離計１０を原点位置Ａとし、壁面Ｗ１にレーザを照射した前回の測定位置Ｘ１と現時点の測定位置Ｘ２を底面とし、前回の測定距離Ｌ１と現時点の測定距離Ｌ２で挟む角度θ１から測定位置間の距離ｄ１を求める。角度θ１は、第１モータ５のパルス数から求めることができる。すなわち、角度θ１は、設定した第１モータ５の回転角度と一致するので、本実施形態では、常に一定に保たれている。なお、角度θ１は、回動体３の回転角度をロータリーエンコーダのような検出器によって検出するように構成してもよい。
【００４１】  上述のように取得する測定距離Ｌ１、Ｌ２および回転角度θ１からｄ１は、三角関数を用いてｄ１２＝Ｌ１２＋Ｌ２２−２Ｌ１Ｌ２ｃｏｓθ２により求めることができる。
【００４２】  ＣＰＵ７は、測定位置間の距離ｄ１を求めると、図６に示すように、レーザ距離計１０を３６０度回転させる間に、各測定位置間（２点間）の距離を求めて順にプロット用の一群のデータとして生成しながら逐次にＲＡＭ９に記憶してゆく。測定完了後に、ＣＰＵ７は、ＲＡＭ９に記憶したデータをＰＣ１１に送信して一連の処理を終了する。
【００４３】  この構成によれば、部屋の内壁面Ｗ１〜Ｗ４の全周の長さを一回の測定で求めることができる。すなわち、レーザ距離計１０を一回転させる間に壁面Ｗ１〜Ｗ４にレーザを間欠的に照射し、取得した測定位置ごとの測定距離および隣り合う測定位置間ごとの回転角度を求めることができ、さらに、三角関数を利用して隣り合う測定位置ごとの測定距離と回転角度から隣り合う測定位置間の距離を求めることができる。換言すれば、各測定位置間の距離ｄ１、ｄ２、……は、壁面Ｗ１〜Ｗ４の全周の長さを複数個に分割したプロット用の一群のデータとして生成される。したがって、ＰＣ１１に一群のデータをプロットして表示し、範囲を指定することにより、任意の範囲の寸法を求めることができるので、従来のように、オペレータのマニュアル操作によって測定範囲を詳細に設定入力する必要がないので、測定作業を効率よく行うことができる。また、隅角部を避けて目的とする測定位置のみを測定する必要がないので、測定エラーをなくすこともできる。なお、測定の開始位置および終了位置は、従来のように隅角部に限定されず、壁面の平坦な位置など任意の位置に設定できることは言うまでもない。
【００４４】  ＜測定処理２＞
部屋の内壁を３６０度測定する過程で、室内には、単なる角部、或いは、図４に示す柱２１〜２４などによる隅角部が存在する。本実施形態では、この隅角部を判定して、精度よく測定する形態について説明する。
【００４５】  図４に示す平坦な壁面を測定している間、図７に示すように、測定位置Ｘ１〜Ｘ７まで各測定距離Ｌ１〜Ｌ７は一定の割合で増加し、変化量を示す各測定位置間の傾が、一定であることが分かる。しかしながら、隅角部２１の測定位置Ｘ８では、距離Ｌ８が距離Ｌ７より短くなっており、変化量を示す傾きが斜め下がりに変化している。
【００４６】  ＣＰＵ７は、測定ごとに変化量をモニタしており、変化量が一定でなくなった測定時点で、変化量が一定であった最終時点の測定位置Ｘ７まで回動体３を逆回転させて戻す。
【００４７】  ＣＰＵ７は、現状の測定間隔よりも短い測定間隔に変更する。すなわち、第１モータ５のパルス数を調整し、レーザ距離計１０を微小角度で回転させるように変更する。
【００４８】  その後、回動体３を正転させて測定位置Ｘ７からレーザ距離計１０によって再測定を開始する。すなわち、図８に示すように、微小間隔で測定位置ΔＸ７１からΔＸ７４の順に再測定してゆく。ＣＰＵ７は、測定した値を前回の変化量を検出した測定位置Ｘ７からＸ８までの間を補完する値としてＲＡＭ９に記憶してゆく。
【００４９】  ＣＰＵ７は、再測定の間も変化量をモニタしている。例えば、図４に示すように、測定位置Ｘ８からＸ１０までは隅角部を含むので、ＣＰＵ７は、この間は微小間隔で測定し、測定位置Ｘ１０からＸ１１で変化量が一定に戻ると、測定間隔を当初設定値に戻して測定を継続する。その後、各壁面Ｗ１〜Ｗ４に対して、レーザが垂直に照射された場合（図４の測定位置Ｘ１４）、その時点から変化量が増加または減少するが、隅角部２１〜２４とは異なり変化量は一定となるので、測定間隔は、当初設定のままとなる。
【００５０】  以後、ＣＰＵ７は、隅角部を判定するごとに回動体３を所定位置まで戻すとともに測定間隔を変更して再測定し、変化量が一定になると測定間隔を初期設定に戻しながら測定を繰り返し、部屋の内壁を３６０度にわたって測定し、プロット用の一群のデータをＰＣ１１に送信して一連の処理を終了する。
【００５１】  なお、この測定処理２において、変化量が変化した時点で、前回の測定位置Ｘ７までレーザ距離計１０を戻して再測定を一回行っているが、当該測定位置Ｘ７とＸ８の間で再測定を複数回行ってもよい。このとき、再測定ごとに測定間隔を変更して測定した距離が最大となる位置を求める。
【００５２】  この構成によれば、測定位置間の変化量が変化した領域を平坦でない隅角部であるとＣＰＵ７が判定するので、ＣＰＵ７は、変化量が変化する前の測定位置に回動体３を戻すとともに、測定間隔を短く変更してレーザ距離計１０によって当該部分を再測定させるので、隅角部の寸法および形状を精度よく判定可能となる。特に、測定位置間Ｘ７とＸ８で複数回行う再測定ごとに測定間隔を変更して測定距離が最大となる位置を求めることにより、隅角部の起点を特定することができるので、隅角部の形状および大きさをより精度よく判定することができる。その結果、隅角部を除く平坦な壁面のみを精度よく抽出することが可能になる。
【００５３】  なお、本発明は、上記実施形態に限定されず、以下のような構成であってもよい。
【００５４】  （１）上記実施形態では、１台の壁面測定装置１を利用して矩形の１部屋の壁面の全周にわたって測定していたが、正方形や長方形でない異形なレイアウトの部屋、部屋の大きさ隅角部の位置に応じて、複数台の壁面測定装置１を部屋ごとに設置し、個々に測定するように構成してもよい。
【００５５】  或は、図９に示すように、２台の三脚４を２部屋のそれぞれに設置し、当該三脚４の間に跨るようにリニアガイド２０を設置し、当該リニアガイド２０の上の可動台に壁面測定装置１を装着して移動させ、部屋ごとに測定するように構成してもよい。
【００５６】  上記の複数台の壁面測定装置１を利用する場合および１台の壁面測定装置１を移動させる構成のいずれにおいても、部屋ごとに測定して取得したプロット用のデータのそれぞれをＰＣ１１に送信し、ＰＣ１１側で２部屋分のデータを合成させるように構成する。すなわち、図９に示す測定原点Ａで測定した壁面Ｗ１〜Ｗ３までのプロット用のデータと、測定原点Ｂで測定した壁面Ｗ４〜Ｗ６までのプロット用のデータを抽出して合成し、連なる２部屋分のデータを纏めて記憶する。
【００５７】  この構成によれば、正方形および長方形でない異形なレイアウトの部屋、柱などによって死角が生じる部屋の場合、およびホールなどの広い部屋の場合など各壁面全周の寸法データの基となる一群のプロット用のデータを取得し、これら複数の一群のデータから必要な部分のデータを抽出して合成することによって、部屋全周のプロット用のデータを精度よく生成することができる。
【００５８】  （２）上記実施形態では、壁面測定装置１によって取得した測定データを通信によってＰＣ１１に送信していたが、ＵＳＢメモリなどのメモリ媒体に壁面測定装置１の測定データを記録させて持ち出し可能にしてもよい。
【００５９】  （３）上記実施形態では、レーザ距離計１０の角度を固定して水平に一回転させていたが、図１０に示すように、３６０度回転するごとにレーザ距離計１０の上下角を微小角度で変更してゆき、壁面の高さ方向の高さＨ１〜Ｈ４の位置で水平にレーザ距離計１０を水平方向に回転させて複数回にわたって測定してもよい。或いは、レーザ距離計１０を微小角度で逐次に変更し、壁面にレーザを螺旋状に照射しながら複数回にわたって壁面全周を測定するように構成してもよい。
【００６０】  この構成によれば、壁面の高さの異なる位置でのプロット用のデータが取得されるので、水平方向と高さ方向の２次元のデータを取得することができる。したがって、壁面に応じた壁紙の幅寸法と高さ寸法から所定範囲の面積も求めることが可能になる。
【００６１】  （４）上記実施形態では、壁面が床に対して垂直な部屋を例にとって説明したが、天井が床よりも面積が小さく、壁面が傾斜しているような部屋の当該壁面の測定にも適用することができる。なお、このような部屋の場合、フロアの平面図またはレイアウト図は、床面を基準にして作成されているので、床面に可能な限り近い位置で壁面までの距離を測定する必要がある。また、壁面が傾斜しているので、高い水平度を保った状態でレーザ距離計１０を３６０度回転させなければ、測定距離の誤差が垂直な壁面の測定時よりも大きくなる。したがって、このように壁面が傾斜している場合、例えば、次のような実施形態が好ましい。
【００６２】  図１１に示すように、低背な三脚４の支持台に壁面測定装置１を装着する。その後、装置本体２の電源をオンにして装置本体２の水準機能によって自動で大凡の水平度を調整する。さらに、円型気泡管の水準器を目視しながら短軸からなる脚部４Ａの先端側のネジに螺入された先端部４Ｂを回して壁面測定装置１が３６０度回転している間も水平になるように微調整する。
【００６３】  或は、株式会社ＴＪＭデザインのレーザ墨出し器（型番ＧＺＡＮ−ＫＹＲ）の三脚部に壁面測定装置１を装着し、当該三脚部の自動水準機能によって水平度を調整し、さらに脚部に螺入された先端部を回して高さの微調整を行なってもよい。
【００６４】  この構成によれば、床面近くで水平度を精度よく保った壁面測定装置１によって床面と略平行、かつ、壁面と床面が交差するフロアラインまたはフロアラインに極力近い位置にレーザを照射することができるので、傾斜した壁面であってもフロアの平面図と一致した寸法データを精度よく取得することができる。
【００６５】  なお、床面に極力近い壁面高さにレーザを床面と平行にして照射したい場合、例えば、次のように実施してもよい。回動体３からレーザ距離計１０を分離し、ロボットアームの先端に装着し、当該ロボットアームによって床面に近接する位置までレーザ距離計１０を下降させる。この状態でロボットアームを縦軸回り回転させながら、レーザ距離計１０によって距離を測定させればよい。測定結果は、無線によってレーザ距離計１０から装置本体２に送信すればよい。
【００６６】  （５）上記実施形態において、壁面測定装置１からＰＣ１１に転送されたプロット用のデータから幅寸法を決める位置と高さを決める位置を設定すれば、ＰＣ１１が、水平方向および高さ方向の測定位置間の距離をそれぞれ算出し、当該距離から設置位置間の面積を求め、さらに当該面積を被覆可能なサイズを有する規格品の壁紙をＰＣ１１に予め記憶したデータベースまたはネットワークを介して接続した外部のサーバに記憶したデータベースから抽出するように構成してもよい。
【００６７】  （６）上記図１０に示した構成では、レーザ距離計１０から照射されるレーザの上下角を変更することより壁面の異なる高さ位置で測定する場合について述べたが、これに限られるものではなく、レーザ距離計１０の上下角を変更する構成（図１０）に代えて、例えば図１２に示すように、レーザ距離計１１０の高さを所定間隔で変更してゆき、各高さＨ１、Ｈ２、Ｈ３、……Ｈｘでそれぞれレーザ距離計１１０を水平に回転させることにより壁面距離を測定する構成としてもよい。
【００６８】  具体的には、図１３に示すように、壁面測定装置１００は、平板状の台座１０１の上面に円柱形状の支柱１０２が固定されており、この支柱１０２には、レーザ距離計１１０を支持する本体部１１２が上下移動可能に支持されている。
【００６９】  本体部１１２は、支柱１０２の周側面に沿って当該支柱１０２の長手方向（矢印ａで示す上下方向）に摺動可能に支持される円筒形状のステータ１２１と、当該ステータ１２１の外周面に対してベアリング１２２Ａ、１２２Ｂ（図１４）を介して水平面内で矢印ｂ方向に回転可能に支持されたロータ１５１とを有する。
【００７０】  ロータ１５１には、レーザ距離計１１０が搭載されており、ロータ１５１の外周面から壁面に対して水平方向にレーザを照射する。レーザ距離計１１０は、上記実施形態において用いたレーザ距離計１０と同様にして、被測定物（壁面）に照射したレーザの反射光の強度に基づいて測定距離を算出して出力するものである。
【００７１】  本体部１１２の駆動機構について説明する。図１３において、本体部１１２のステータ１２１は、中心部分が上下方向に貫通した円筒形状を有しており、貫通部１２１Ａに支柱１０２が挿入されている。ステータ１２１の内径は、支柱１０２の外径よりも僅かに大きく形成されていることにより、ステータ１２１は、支柱１０２の周側面に対してその長手方向に摺動可能となっている。
【００７２】  支柱１０２の周側面にはその長手方向にラックギア１０２Ａが設けられており、このラックギア１０２Ａには、ステータ１２１に設けられた昇降用のピニオンギア１３１が歯合されている。ピニオンギア１３１は、ステータ１２１に搭載された昇降用モータ１３２によって回転し、これにより、昇降用モータ１３２の回転方向に応じて、ステータ１２１を昇降させることができる。なお、昇降用モータ１３２として、パルスモータ（ステッピングモータ）等が用いられる。
【００７３】  図１４に示すように、ステータ１２１の外周面には例えば積層珪素鋼鈑などからなる固定子磁極１２３が固定されており、この固定子磁極１２３には所定極数の固定子巻線１２４が巻回されている。固定子巻線１２４は、ピン１２７を介して、ステータ１２１に設けられた基板１２５のドライバ回路１６５Ａ（図１５）に接続されている。ドライバ回路は、基板１２５に設けられた電気回路１６６（図１５）に接続されている。電気回路１６６は、通信部１２（図１５）を介して外部のコンピュータ（ＰＣ１１（図１５））に接続されている。なお、電気回路１６６及びパルスモータ等への電源供給ラインは、ステータ１２１に設けられた貫通孔１２８を介して、ステータ１２１の下方から基板１２５へ引き込む構成とすることにより、電源供給ラインがレーザ距離計１１０のレーザ光路を遮ることを回避することができる。因みに、電源供給の方法としては、電源ラインを接続する方法に代えて、例えば、ステータ１２１上にバッテリを搭載するようにしてもよい。
【００７４】  一方、ロータ１５１は、上面部の中心に貫通孔１５２Ａを有し底面部が開口する円筒形状のロータハウジング１５２を有し、このロータハウジング１５２の底部開口は、中心部に貫通孔１５３Ａを有する円板形状の底板１５３によって閉塞されている。
【００７５】  ロータハウジング１５２の内周面にはロータヨーク１５５が設けられており、このロータヨーク１５５の内周面には、円環状のロータマグネット１５６が設けられている。ロータマグネット１５６は、周方向に交互に異なる方向に着磁されており、固定子磁極１２３の固定子磁極歯（図示せず）との間には均一なエアギャップが設けられている。
【００７６】  これにより、ロータマグネット１５６は、内側に固定子を有する円筒型のパルスモータ（ステッピングモータ）を構成する。基板１２５のドライバ回路１６５Ａ（図１５）は、固定子巻線１２４の各極に対して、順次所定のタイミングで電流を流すことにより、ロータ１５１を回転させることができる。
【００７７】  ロータヨーク１５５の一部には切欠き（図示せず）が設けられており、この切欠きから漏洩する磁束を、所定の回転位置に設けられた磁束検出器（図示せず）によって検出することで、ロータ１５１（ロータマグネット１５６）の回転位置を判断することができるように構成されている。
【００７８】  ＰＣ１１（図１５）では、コネクタ１２６を介して基板１２５上の電気回路１６６に制御信号を送信することにより、ドライバ回路を介してパルスモータを駆動させ、レーザ距離計１１０が搭載されたロータ１５１を回転させることができる。かくして、ロータ１５１を回転させるパルスモータは、レーザ距離計１１０を水平面内で回転させる測定用モータ１６０を構成する。
【００７９】  このように、本実施形態の壁面測定装置１００では、支柱１０２に沿って上下移動可能なステータ１２１と、このステータ１２１の回りを回転可能に当該ステータ１２１に支持されたロータ１５１を備え、このロータ１５１にレーザ距離計１１０を設けることにより、レーザ距離計１１０から壁面に照射されるレーザに対して、当該レーザ距離計１１０を支持、上下移動及び回転させる機構の一部がレーザ光路を遮る構成となることを回避することができる。
【００８０】  またレーザ距離計１１０を上下移動させるための駆動機構（昇降用モータ１３２等）をステータ１２１上に搭載し、これらの機構部がステータ１２１と共に上下移動する構成としたことにより、ステータ１２１の下にこれらの駆動機構を配置する必要が無くなり、レーザ距離計１１０を上下移動可能な構成において、床面からの高さが一段と低い位置から測定を開始することが可能となる。
【００８１】  図１５は、壁面測定装置１００のステータ１２１に設けられた制御用の電気回路１６６（制御部）を示す図である。この電気回路１６６は、ステータ１２１の基板１２５（図１４）に設けられている。図１５においては、図３との対応部分に同一符号を付し、重複した説明は省略する。
【００８２】  通信部１２は、有線又は無線でＰＣ１１との間でデータを送受信することができる。有線でデータの送受信を行う場合は、ステータ１２１の貫通孔１２８（図１４）を介することで、ステータ１２１の上面部の基板１２５からステータ１２１の下方へ配線を引き出すことができる。また、通信部１２は、レーザ距離計１１０に対して測定制御信号の送信を行うと共に、レーザ距離計１１０における測定結果の受信を行うように構成されている。因みに、電気回路１６６はステータ１２１側に設けられ、レーザ距離計１１０はロータ１５１側に設けられているため、これらの間の信号の授受は、例えばスリップリング等の手段（図示せず）が用いられる。
【００８３】  以上の構成において、壁面距離を測定する測定処理について説明する。
図１４において上述したように、壁面測定装置１００には通信部１２を介してＰＣ１１が接続され、このＰＣ１１によって壁面測定装置１００を動作させることができる。
【００８４】  図１６に示すように、ＰＣ１１から制御情報を受信したＣＰＵ７（図１５）は、ステップＳ１０１において、壁面測定装置１００の本体部１１２（図１３）を最も低い位置（第１の高さＨ１（図１２）に降下させた状態を初期位置として、ロータ１５１を１周に亘って回転させながら、周囲の壁面までの距離を測定する。これにより、図１２に示した高さＨ１（最下位置）における壁面までの距離を測定することができる。なお、この最も低い高さＨ１は、壁面測定装置１００における本体部１１２の構成により決まるものであり、本実施形態の場合、レーザ距離計１１０を搭載したロータ１５１の下部にモータ等の駆動機構や基板等を配置しない構成としたことにより、一段と低くすることができる。
【００８５】  なお、レーザ距離計１１０による壁面の測定方法としては、図４〜図８について上述した方法を用いることができる。すなわち、壁面測定装置１００は、第１の高さ位置Ｈ１において、ロータ１５１を所定角度ごとに回転させながら各角度における壁面までの距離（壁面距離）を測定し、水平面内での１回転分のデータをＲＡＭ９に記憶する。なお、この場合、図４〜図８について上述したように、水平方向での壁面の形状に合わせた精密な測定が行われる。すなわち、水平方向について変化量が一定でなくなった測定時点で、変化量が一定であった水平位置までロータ１５１の回転を戻し、その水平位置から短い移動距離だけ回転させた水平位置で再測定を行う。すなわち、測定間隔を狭くした再測定を行う。
【００８６】  因みに、図１３、図１４に示す実施形態の構成では、レーザ距離計１１０は、支柱１０２の中心から距離ＬＡ（図１４）だけずれた位置に配置されて支柱１０２の回りを回転するように構成されているため、測定結果は、図４〜図８において説明した測定距離Ｌ１、Ｌ２、…Ｌｎよりも短くなる。従って、本実施形態のＣＰＵ７では、レーザ距離計１１０の測定結果に対して、距離ＬＡだけ加算した距離を、測定距離Ｌ１、Ｌ２、…Ｌｎとする。
これにより、第１の高さ位置Ｈ１における壁面の形状について、レーザ距離計１１０の測定データとしてＲＡＭ９（図１５）に記憶される。
【００８７】  ＣＰＵ７は、ステップＳ１０１の処理の後、ステップＳ１０２に処理を移して、第１の高さＨ１での測定が完了したか否かを判断する。この処理において、レーザ距離計１１０を搭載したロータ１５１が回転開始位置から１回転したことを検出し、レーザ距離計１１０の測定結果がＲＡＭ９に格納された場合にＣＰＵ７は、第１の高さＨ１における水平測定が完了したものと判断する。
【００８８】  ＣＰＵ７は、第１の高さＨ１における測定が完了していないと判断すると、ステップＳ１０２からステップＳ１０１へ処理を移して、第１の高さＨ１での測定を続ける。これに対して、第１の高さＨ１における測定が完了したと判断した場合、ＣＰＵ９は、ステップＳ１０２からステップＳ１０３へ処理を移して、昇降用モータ１３２を駆動することにより、予め決められている所定距離だけ本体部１１２を上昇させる。
【００８９】  そして、ＣＰＵ９は、ステップＳ１０３からステップＳ１０４へ処理を移して、垂直移動後の高さＨ２において、測定用モータ１６０を１回転させながら、当該高さにおける壁面をレーザ距離計１１０によって測定する。このステップＳ１０４の所定では、上述のステップＳ１０１と同様に、隅角部等では測定間隔を変更する処理が実行される。
【００９０】  続いて、ＣＰＵ９は、ステップＳ１０４からステップＳ１０５へ処理を移して、第２の高さＨ２での測定が完了したか否かを判断する。
ＣＰＵ７は、第２の高さＨ１における測定が完了していないと判断すると、ステップＳ１０５からステップＳ１０４へ処理を移して、第２の高さＨ２での測定を続ける。これに対して、第２の高さＨ２における測定が完了したと判断した場合、ＣＰＵ９は、ステップＳ１０５からステップＳ１０６へ処理を移して、本体部１１２（すなわちレーザ距離計１１０の測定位置（高さ））が最上部に達しているか否かを判断する。ＣＰＵ９は、ＲＡＭ７に予め設定されている、測定しようとする壁面の高さに合わせた最大測定高さを表すデータと、昇降用モータ１３２のそれまでの制御履歴から得られる本体部１１２（すなわちレーザ距離計１１０）の高さとを比較し、最上部まで達していると判断した場合、ステップＳ１０６において肯定結果を得ることにより、この測定処理を終了する。
【００９１】  これに対して、最上部まで達していないと判断した場合、ＣＰＵ９は、ステップＳ１０６において否定結果を得ることにより、ステップＳ１０６からステップＳ１０７へ処理を移して、前回の測定高さ（例えば、第１の高さＨ１）における支柱１０２を中心とした１回転分の測定結果と、今回の測定高さ（例えば、第２の高さＨ２）における支柱１０２を中心とした１回転分の測定結果とを比較し、壁面における照射位置の垂直方向への移動に伴ってレーザ距離計１１０の測定結果（壁面距離）が予め設定されている閾値を超えて変化した位置（ここでは、レーザ距離計１１０によるレーザの照射位置として、ステータ１２１の上下位置によって特定される壁面の垂直位置と、ロータ１５１の回転位置によって特定される壁面の水平位置）を特定する。このステップＳ１０７において比較される壁面距離は、壁面上において水平方向には同じ位置であって、その上下における壁面距離である。すなわち、このステップＳ１０７で特定される対象は、壁面において垂直方向に亘って壁面距離が大きく変化する位置である。このように壁面の上下方向に亘って形状が大きく変化する箇所（すなわち壁面に凹凸がある箇所）では、その変化状態を詳細に検出することにより、壁面の状態を高精度で測定することができる。
【００９２】  かくしてＣＰＵ９は、ステップＳ１０７において、精密測定が必要であるか否かを判断する。ここで、前回の測定高さ（例えば、第１の高さＨ１）におけるレーザ距離計１１０の測定値と、今回の測定高さ（例えば、第２の高さＨ２）におけるレーザ距離計１１０の測定値（前回の測定と水平位置は同じ測定位置であって高さが異なる位置における測定値）が閾値を超えて変化していない場合、このことは、垂直方向への移動距離を小さくして再度水平測定を行う必要がないことを意味しており、この場合、ＣＰＵ９はステップＳ１０７において否定結果を得ることにより、ステップＳ１０７からステップＳ１０８へ処理を移して、予め設定されている所定距離だけ本体部１１２を上昇させる設定を行い、ステップＳ１０３に処理を移すことにより、通常移動距離だけレーザ距離計１１０を上昇させて次の高さ位置（例えば、第３の高さＨ３）での水平測定を実行する（ステップＳ１０４）。
【００９３】  これに対して、前回の測定高さ（例えば、第１の高さＨ１）におけるレーザ距離計１１０の測定値と、今回の測定高さ（例えば、第２の高さＨ２）におけるレーザ距離計１１０の測定値（前回の測定と水平位置は同じ測定位置であって高さが異なる位置における測定値）が閾値を超えて変化している場合、このことは、この前回測定した高さと今回測定した高さの間において、壁面距離が大きく変化している箇所があること、すなわち、壁面の垂直方向の形状が大きく変化していることを意味しており、この場合、照射位置の垂直方向の移動距離を小さくして再度水平測定を行う必要がある。よって、ＣＰＵ９はステップＳ１０７において肯定結果を得ることにより、ステップＳ１０７からステップＳ１０９へ処理を移して、予め設定されている所定距離よりも小さな距離だけ本体部１１２を上昇させて再測定を行う設定を行う。これにより、垂直移動距離を小さくしてレーザ距離計１１０での再測定を実行する設定が行われる。また、このときＣＰＵ９は、昇降用モータ１３２を逆回転させて本体部１１２を前回測定位置まで降下させることにより、再測定の準備を行う。そして、ＣＰＵ９は、ステップＳ１０３に処理を移し、移動距離が小さく設定された状態で本体部１１２をその小さな移動距離だけ上昇させて水平測定を行う（ステップＳ１０４）。
【００９４】  これにより、図７、図８について上述した水平方向での壁面の形状に合わせた精密な測定方法と同様の測定方法（すなわち、垂直方向について変化量が一定でないことが検出された高さで、変化量が一定であった高さまで本体部１１２を降下させ、その高さから短い移動距離だけ上昇させた高さで再測定を行う測定方法）による測定を、垂直方向において実行することができる。
【００９５】  このように、壁面測定装置１００を用いた測定処理においては、レーザ距離計１１０から壁面に照射するレーザの上下の照射角度を変えずに水平に保ったまま、レーザ距離計１１０自体を昇降させながら、各高さにおける壁面距離を測定することにより、精度良く壁面距離を測定することができる。
【００９６】  具体的には、レーザ距離計１１０の高さを変えずにレーザの上下の照射角度を変えて壁面の各高さでの壁面距離を測定した場合、レーザ距離計１１０から壁面までの距離が大きくなるほど、レーザの照射角度の変化に対する壁面上の照射位置の変化量が大きくなる。これに対して、レーザの上下の照射角度を変えずにレーザ光源（レーザ距離計１１０）を昇降させて照射方向を水平に保ったままレーザを壁面に照射する場合、レーザ距離計１１０の昇降距離がそのまま壁面上の照射位置の変化量になるため、照射角度を変える場合に比べて精度良く測定することが可能となる。
【００９７】  なお、上述のステップＳ１０７において判断される閾値は、予めユーザが設定可能となっている。この閾値を大きくした場合は、壁面の凹凸に対して再測定する感度を低くすることできる。すなわち、壁面の僅かな凹凸は測定データとして記憶しないようにできる。これに対して、閾値を小さくした場合は、壁面の凹凸に対して再測定する感度を高くすることができる。すなわち、壁面の僅かな凹凸でも測定データとして記憶することができる。
【００９８】  また、測定する壁面形状としては、図１２に示したような凹凸を有する形状だけでなく、例えば、図１７に示すように、傾斜した壁面の壁面距離を測定する場合においても、図１３〜図１６について上述した壁面測定装置１００を用いることができる。この場合は、各高さで測定される壁面距離は、順次変化することになるため、壁面の傾斜に合わせて、閾値を設定することで、不要な再測定が実行されることを回避することができる。
【００９９】  また、図２に示したように、レーザ距離計１０を水平軸Ｙ回りに回転可能とする構成を、図１２〜図１７について上述した壁面測定装置１００に組み込むことで、レーザ距離計を水平軸Ｙ回りに回転可能（図２）とする構成と、レーザ距離計自体を昇降させる構成とを併用することにより、例えば、ある高さまではレーザ距離計自体を上昇させて照射方向に水平方向に固定した測定を行い、それ以上の高さにおける壁面距離を測定する場合には、レーザ距離計を水平軸回りに回転させることで、支柱１０２（図１３）の高さが足りない一定高さ以上の壁面に対してはレーザ距離系を水平軸回りに回転させることで高所まで壁面距離を測定することができる。
【０１００】  また、図１８に示すように、レーザ距離計１１０と壁面との間に家具等の障害物１８０が置かれている場合、レーザを用いた壁面距離測定は困難になるため、この場合は、前後の測定データ（測定位置に対して上下左右の測定結果）に基づいて、障害物１８０を推定して測定済データの修正を行うこともできる。
【０１０１】  また、壁面測定装置１００においては、下から上に本体部１１２を上昇させながら、所定高さごとに壁面距離を測定する場合について述べたが、これに限られるものではなく、最上部から本体部１１２を下降させながら所定間隔で壁面距離を測定するようにしてもよい。
【０１０２】  また、上述の実施形態では、支柱１０２によって本体部１１２を昇降させる構成の壁面測定装置１００について述べたが、これに限られず、例えば、図１に示した三脚４にエレベータ機構を設け、このエレベータ機構によって、装置本体２及び回動体３からなる壁面測定装置１（図２）を昇降させるようにしてもよい。この場合、壁面測定装置１において、レーザの照射方向を水平方向に固定した測定を行うことにより、図１２〜図１８に示した測定方法を三脚４を用いて実現することができる。
【０１０３】  （７）上記実施形態では、壁面測定装置１の水平度を手動で調整する場合について説明したが、自動で調整する構成としてもよい。
具体的には、図３との対応部分に同一符号を付して示す図１９に示すように、装置本体２には、水平センサ１８が設けられている。この水平センサ１８は、例えば、透明の小容器に液体と少量の気泡を密閉し、中心部に光を透過させて、透過光をセンサで検知することにより水平度を測定する構成である。
【０１０４】  図２０に示すように、装置本体２は、支持脚１６Ａ、１６Ｂ、１６Ｃによって支えられており、各支持脚１６Ａ、１６Ｂ、１６Ｃの突出し高さは、水平モータ１９Ａ、１９Ｂ、１９Ｃによって調整可能となっている。ＣＰＵ７（図１９）は、水平センサ１８の検出結果に基づいて水平モータ１９Ａ、１９Ｂ、１９Ｃを制御することにより、支持脚１６Ａ、１６Ｂ、１６Ｃの突出し高さを調整して装置本体２を自動的に水平に保つように構成されている。
【０１０５】  また、図１９、図２０に示すように、装置本体２には、外部の機器（例えばＰＣ１１）との間でデータを送受信するための入出力ポート（Ｉ／Ｏポート）１７が設けられている。この入出力ポート１７は、例えばＰＣ１１との間でデータの受け渡しを可能とするＵＳＢ（Ｕｎｉｖｅｒｓａｌ  Ｓｅｒｉａｌ  Ｂｕｓ）コネクタ等の入出力ポートであり、通信部１２によって接続管理が行われる。入出力ポート１７は、固有のＩ／Ｏポートアドレスが割り当てられＣＰＵ７によって識別される。このように入出力ポート（Ｉ／Ｏポート）１７を設けた構成とすることにより、ＰＣ１１に限らず、他の周辺機器を接続することができるようになる。
【０１０６】  （８）上記実施形態では、レーザを用いて壁面距離を測定する場合について述べたが、レーザに限らず、例えば、音波等、他の媒体を利用して壁面距離を測定することができる。
【符号の説明】
【０１０７】  １、１００  壁面測定装置
２  装置本体
３  回動体
４  三脚
７  ＣＰＵ
８  ＲＯＭ
９  ＲＡＭ
１０、１１０  レーザ距離計
１１  パーソナルコンピュータ
１２  通信部
１６Ａ〜１６Ｃ  支持脚
１７  入出力ポート
１８  水平センサ
１９Ａ〜１９Ｃ  水平モータ
１０２  支柱
１０２Ａ  ラックギア
１１２  本体部
１２１  ステータ
１２５  基板
１３１  ピニオンギア
１３２  昇降用モータ
１５１  ロータ
【図１】
0006475223.tif 000002
【図２】
0006475223.tif 000003
【図３】
0006475223.tif 000004
【図４】
0006475223.tif 000005
【図５】
0006475223.tif 000006
【図６】
0006475223.tif 000007
【図７】
0006475223.tif 000008
【図８】
0006475223.tif 000009
【図９】
0006475223.tif 000010
【図１０】
0006475223.tif 000011
【図１１】
0006475223.tif 000012
【図１２】
0006475223.tif 000013
【図１３】
0006475223.tif 000014
【図１４】
0006475223.tif 000015
【図１５】
0006475223.tif 000016
【図１６】
0006475223.tif 000017
【図１７】
0006475223.tif 000018
【図１８】
0006475223.tif 000019
【図１９】
0006475223.tif 000020
【図２０】
0006475223.tif 000021